(57)【要約】      （修正有）【課題】微振動を加えて皮膚の血流やリンパ液の流れを活発にするマッサージ具であり、低コストで製作でき、軽量で、かつ、体裁がよく、ヘッドの交換が自在な携帯用振動式マッサージ具を提供する。【解決手段】携帯用振動式マッサージ具１は、振動手段１６を内装するとともに、選択スイッチが露設された長尺の把持部材１２と、皮膚に接触させ振動手段１６により振動する皮膚接触部１１と、振動手段１６による振動を該皮膚接触部１１に伝達できるよう把持部材１２に着脱自在に保持される支持部材１３と、を備えることを特徴とする。【選択図】図２
0003184827.tif 000002
【実用新案登録請求の範囲】
【請求項１】
振動手段を内装するとともに、選択スイッチが露設された長尺の把持部材と、
皮膚に接触させ前記振動手段により振動する皮膚接触部と、
前記振動手段による振動を該皮膚接触部に伝達できるよう前記把持部材に着脱自在に保持される支持部材と、
を備える携帯用振動式マッサージ具。
【請求項２】
前記振動手段は、前記皮膚接触部を２００Ｈｚ以上の周波数で微振動させることを特徴とする請求項１に記載の携帯用振動式マッサージ具。
【請求項３】
前記振動手段は、前記皮膚接触部を３００Ｈｚ乃至４００Ｈｚの周波数で微振動させることを特徴とする請求項２に記載の携帯用振動式マッサージ具。
【請求項４】
前記皮膚接触部は回転体であり、前記支持部材は該回転体を回動自在に保持する支軸を備えることを特徴とする請求項１ないし３に記載の携帯用振動式マッサージ具。
【請求項５】
前記回転体は球面体であることを特徴とする請求項４に記載の携帯用振動式マッサージ具。
【請求項６】
前記回転体は円筒体であることを特徴とする請求項４に記載の携帯用振動式マッサージ具。
【請求項７】
前記皮膚接触部はファッション性ある装飾体であることを特徴とする請求項１ないし６に記載の携帯用振動式マッサージ具。
【請求項８】
前記ファッション性ある装飾体が、着色又は透明又は半透明な各種部材からなりかつ各種の図形若しくは図柄若しくは模様若しくは文字又はこれらの組み合わせからなることを特徴とする、請求項７に記載の携帯用振動式マッサージ具。
【請求項９】
前記ファッション性ある装飾体が、上面に接着剤又は感圧性糊などにより着装される、宝飾玉、アクリル樹脂又は各種金属製の発光物であることを特徴とする、請求項７又は８に記載の携帯用振動式マッサージ具。
【考案の詳細な説明】
【技術分野】
【０００１】
本考案は、携帯用振動式マッサージ具に関する。
【背景技術】
【０００２】
最近は、女性のみならず男性も美容や美顔に高い関心を持つようになっている。特に加齢とともに増えてくる頬や目じりのしわや弛み、ほうれい線等入念な皮膚のマッサージについて、雑誌やテレビで紹介されることも多い。通常、皮膚下において、毛細血管は血流により運ばれた栄養と酸素を細胞に送り込み、毛細リンパ管は老廃物や余分な水分を回収する。毛細血管と毛細リンパ管との間の組織間液のやり取りがスムースに行われないと、老廃物や余分な水分が皮下組織に過剰に溜まることとなる。リンパ液は、血液のようにポンプ作用によって流れるわけではないので運動量が少ないほど滞りやすい。従って、血流を活発にしたり、リンパ液の滞りを解消してスムースに流したりすることが必要である。
【０００３】
このような血流を活発にしたり、リンパ液の滞りを解消したりするため、肌や体の一部にローラを転がすことにより、肌に刺激を与え、血流の促進や皮膚の新陳代謝を活性化するマッサージ具や美容器具が知られている。一般によく知られるものとしては、回転自在なローラを長尺状の先端に設け、そのローラを顔面頬部等の肌に押し当て往復させるマッサージ具がある。また、ローラを回転させる駆動機構を備えるものや、回転可能に取り付けられた複数のローラを備え若干の摩擦と押圧転動により皮膚をマッサージするような器具も存在する。
【０００４】
特許文献１に係るマッサージ具は、長尺状把手部の先端に複数本のローラが回転可能に軸支されたヘッド部を備えたもので、把手部を握り、ヘッド部のローラを皮膚に押し当てて往復移動させることにより、皮膚との摩擦でローラを回転させるものである。このようなローラによるマッサージは、血行や滞留しているリンパ液の流れを促進してむくみを解消しようとするものである。
【先行技術文献】
【特許文献】
【０００５】
【特許文献１】実開平０６−６１２３５号公報
【考案の概要】
【考案が解決しようとする課題】
【０００６】
しかし、特許文献１に係る発明技術でも未だ下記の問題があった。第１に、主要な対象となる顔面は複雑な凹凸を有し、特に、鼻横や眉、口元などの狭小部について、体表マッサージ装置の一個の回転体によるマッサージは困難である。第２に、過度なローラの押し付けは却って皮膚にダメージを与えてしみになることがある。
【０００７】
上記問題点に鑑み、本考案は、主要な対象となる顔面の複雑な凹凸、特に、鼻横や眉、口元などの狭小部について微振動を加えて皮膚の血流やリンパ液の流れを活発にするマッサージ具であり、低コストで製作でき、軽量で、かつ、若い女性等にとってファッション性が高く、ヘッドの交換が自在な携帯用振動式マッサージ具を提供することを目的とする。
【課題を解決するための手段】
【０００８】
上記目的を達成するため、本考案のマッサージ具は、振動手段を内装するとともに、選択スイッチが露設された長尺の把持部材と、皮膚に接触させ振動手段により振動する皮膚接触部と、振動手段による振動を該皮膚接触部に伝達できるよう把持部材に着脱自在に保持される支持部材と、を備えることを特徴とする。
【０００９】
なお、振動手段は、皮膚接触部を２００Ｈｚ以上の周波数で微振動させるとよい。特に、周波数が３００Ｈｚ乃至４００Ｈｚであると好適である。
【００１０】
また、皮膚接触部を回転体とし、支持部材が該回転体を回動自在に保持する支軸を備えるようにしてもよい。この場合、回転体は球面体や円筒体として、ローラとして皮膚を転動するようにマッサージすることもできる。
【００１１】
さらに、皮膚接触部はファッション性ある装飾体であるようにしてもよい。例えば、装飾体を着色又は透明又は半透明な各種部材から構成し、これに各種の図形若しくは図柄若しくは模様若しくは文字又はこれらの組み合わせを施せば、ファッション性が高まる。また、装飾体を、その上面に接着剤又は感圧性糊などにより着装される、宝飾玉、アクリル樹脂又は各種金属製の発光物とすることもできる。
【考案の効果】
【００１２】
本考案に係る携帯用振動式マッサージ具は、皮膚接触部が２００Ｈｚ以上の周波数で微振動するので、微振動の刺激が皮膚に加えられ、血流やリンパの流れを活発にすることができる。特に、鼻横や眉、口元などの狭小部について良好にマッサージすることができ、鼻づまりや目の疲れ、歯周病患を予防軽減する。さらに、顔以外では、肩こりにも効果があるとの報告や、手首から親指に至る痛みの軽減の報告がある。足の親指の深爪について、親指のつけ根周りを刺激すると痛みが和らいだとの報告がある。さらにまた別の報告では、足首周りの前後脛骨が複雑骨折し、舟状骨が特に細かく砕けた事例で、本考案に係る携帯用振動式マッサージ具を使用したところ、痛みが軽減した事例がある。また、本考案に係る携帯用振動式マッサージ具は、皮膚接触部をファッション性の高い装飾体により構成してもよく、該装飾体が使用者の好みの各種形態、色彩、大きさであれば、使用者は、外出時等で、着衣の色彩、外出の目的等に応じて、あるいは、気分転換としてイヤリング、ピアス等の装身具を装着する感覚で使用することができ、精神的な癒しともなりうる。
【図面の簡単な説明】
【００１３】
【図１】本考案の実施例１に係る携帯用振動式マッサージ具１の斜視図である。
【図２】本考案の実施例１に係る携帯用振動式マッサージ具１の内部の様子を示す平面図である。
【図３】本考案の実施例２に係る携帯用振動式マッサージ具２の斜視図である。
【図４】本考案の実施例２に係る携帯用振動式マッサージ具２の変形形態である皮膚接触部と支持部材を示す平面図である。
【考案を実施するための形態】
【００１４】
以下、本考案の実施の形態を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施の形態に限られるものではない。
【実施例１】
【００１５】
実施例１について、図面を参照して詳細に説明する。図１は本考案の実施例１の携帯用振動式マッサージ具１の斜視図である。図１に示すとおり、携帯用振動式マッサージ具１は、皮膚に接触させ振動手段により振動する皮膚接触部１１と、振動手段を内装するとともに、選択スイッチ１４が露設された長尺の把持部材１２と、振動手段による振動を皮膚接触部１１に伝達できるよう把持部材１２に着脱自在に保持される支持部材１３と、を備えている。この携帯用振動式マッサージ具１は、後述するとおり、支持部材１３を別の皮膚接触部（図示しない）と交換して使用可能なものである。皮膚接触部１１は、皮膚に接触する部分が、球面状になっており、使用者のツボをマッサージできるように構成している。なお、顔の狭小部をマッサージすることからすれば、球面の径は１．５ｃｍないし２ｃｍくらいが好適である。
【００１６】
図２を参照する。図２は、本考案の実施例１に係る携帯用振動式マッサージ具１の内部の様子を示す平面図である。把持部材１２の内部には、電源としての電池１５と、駆動軸１７を軸方向の直線往復振動を与えることができるリニア振動モータ１６が配置されている。このリニア振動モータ１６は、皮膚接触部１１を２００Ｈｚ以上の音波領域の周波数で微振動させる振動手段であり、好適には３００Ｈｚ乃至４００Ｈｚの音波領域での周波数で、皮膚接触部１１を直線往復振動させる振動手段である。
【００１７】
本考案の実施例１に係る携帯用振動式マッサージ具１の使用例を説明する。把持部材１２を手に持って選択スイッチ１４をオンにし、皮膚接触部１１を使用者の所望の皮膚に接するように軽く宛がう。そうすると、リニア振動モータ１６が駆動し、駆動軸１７を介して皮膚接触部１１に直線往復振動が伝わり、これが音波振動として皮膚に作用してマッサージする。この適度な音波振動によるマッサージにより、皮膚の血行を促進し、新陳代謝を活発にさせ、結果として、肌のシミやシワを軽減する効果が期待されるものである。なお、特に顔の狭小部、例えば、眉、目の周り、口元、首筋のほか後頭部に使用すると、凝りや腫れが軽減される効果が期待される。
【００１８】
さらに、皮膚接触部１１の皮膚に接触する領域以外の領域にマイナスイオンを発生する液体を塗布したり、マイナスイオンを発生するシートを貼付したりすることもできる。マイナスイオンは細胞の生理機能を高める効果があると言われており、本考案に係る携帯用振動式マッサージ具１にマイナスイオンを塗布等することにより、皮膚の新陳代謝をより高めることが可能になる。
【実施例２】
【００１９】
実施例２について、図面を参照して詳細に説明する。
【００２０】
図３は本考案の実施例２の携帯用振動式マッサージ具２の斜視図である。携帯用振動式マッサージ具２は、図１に示す携帯用振動式マッサージ具１の長尺の把持部材１２に、皮膚接触部１１とは別の皮膚接触部２１を有する支持部材２３を装着したものである。図３に示すとおり、皮膚接触部２１は球面形状の回転体であり、支持部材２３は先端にある支持部２３１に回転体２１を回動自在に保持する支軸２３２を備えている。このように球面形状の皮膚接触部２１は、使用者の所望する皮膚の範囲を転動しながらマッサージできるように構成している。
【００２１】
図４を参照する。図４は、本考案の実施例２に係る携帯用振動式マッサージ具２の変形形態である皮膚接触部と支持部材を示す平面図である。図４（ａ）は、皮膚接触部３１と支持部材３３とを示している。皮膚接触部３１は円筒形状の回転体であってもよく、いわゆるローラのように転動できるように構成してもよい。支持部材３３は先端にある支持部３３１に回転体３１を回動自在に保持する支軸３３２を備えている。また、図４（ｂ）は、皮膚接触部４１と支持部材４３とを示している。皮膚接触部４１は円錐台を二つ合わせたような回転体であってもよい。また、扁平球形状の回転体や円錐を二つ合わせた菱形の回転体であってもよい。支持部材４３は先端にある支持部４３１に回転体４１を回動自在に保持する支軸４３２を備えている。これらの変形形態の場合、皮膚接触部の回転運動と振動の組み合わせにより２方面の動きまたは力を付与し、より有効なマッサージ効果が期待できる。
【００２２】
以上のことから、本考案の実施例１係る携帯用振動式マッサージ具１、２を使用実施する場合において、皮膚に音波領域での振動による刺激を与えることが、血流やリンパの流れを促進するほか、皮膚細胞を活性化させるのに効果的であるといえる。さらに、皮膚接触部をファッション性ある装飾体にすれば、使用者にとって購入の選択肢が広がる。例えば、装飾体を着色又は透明又は半透明な各種部材から構成し、これに各種の図形若しくは図柄若しくは模様若しくは文字又はこれらの組み合わせを施したり、装飾体の上面に接着剤又は感圧性糊などにより着装される、擬宝玉、水晶体、瑪瑙、アクアマリン、クリスタルガラス等の宝飾玉、アクリル樹脂又は各種金属製の発光物としたりすることもできる。また、これらの組み合わせで構成されてもよい。
【００２３】
以上、本考案に係る携帯用振動式マッサージ具における好ましい実施形態を図示して説明してきたが、本考案の技術的範囲を逸脱することなく種々の変更が可能であることは理解されるであろう。
【産業上の利用可能性】
【００２４】
本考案に係る携帯用振動式マッサージ具は、顔の特に狭小部、例えば眉、目の周り、口元等に使用できる美顔器としてのみならず、人体の種々の場所に使用できるマッサージ具として広く利用することができる。また、皮膚接触部に水晶体、瑪瑙、アクアマリンのような色彩が鮮やかな宝飾玉等を利用すれば、使用者は好みの色を選択することができるので、ファッション性の高いマッサージ具として利用することもできる。
【符号の説明】
【００２５】
１  ２  携帯用振動式マッサージ具
１１  ２１  ３１  ４１  皮膚接触部
１２  把持部材
１３  ２３  ３３  ４３  支持部材
１４  選択スイッチ
１５  電池
１６  リニア振動モータ
１７  駆動軸
【図１】
0003184827.tif 000003
【図２】
0003184827.tif 000004
【図３】
0003184827.tif 000005
【図４】
0003184827.tif 000006